(57)【特許請求の範囲】
【請求項１】
芯線が被覆部によって被覆された電線を接地するために用いられる接地用器具であって、
電線の端部を一端側から他端側に向けて挿入可能に構成され、且つ挿入された電線の端部を内部に収納した状態で維持すべく電線の一部を係止する電線係止部が設けられた絶縁性の筒状体と、該筒状体内の他端側に配置され、前記筒状体に挿入される電線の芯線の端面が接触可能な接触部を有するとともに、接地線が接続される接続部を有する導電性の端子具とを備えることを特徴とする接地用器具。
【請求項２】
電線の端部を接地するために用いられる接地用器具であって、
一端側から挿入された電線の端部を内部に収納した状態で維持すべく電線の一部を係止する電線係止部が設けられた絶縁性の筒状体と、該筒状体内の他端側で、収納された電線の端部に電気的に接触可能な位置に配置され、接地線が接続される端子具とを備え、
筒状体は、電線の端部を被覆する電線被覆部と、該電線被覆部に着脱自在に取り付けられ、端子具を被覆する端子被覆部とをさらに有し、該端子被覆部が取り外された状態で、端子具と接地線との接続部分が露出することを特徴とする接地用器具。
【請求項３】
筒状体は、電線の端部を被覆する電線被覆部と、該電線被覆部に着脱自在に取り付けられ、端子具を被覆する端子被覆部とをさらに有し、該端子被覆部が取り外された状態で、端子具と接地線との接続部分が露出することを特徴とする請求項１に記載の接地用器具。
【請求項４】
端子具は、端子被覆部が取り外された状態で、電線被覆部に着脱自在であることを特徴とする請求項２又は３に記載の接地用器具。
【請求項５】
接地線を端子被覆部内から外部に引き出すために端子被覆部に形成された孔を閉塞する閉塞部材をさらに備えることを特徴とする請求項２乃至４のいずれか１項に記載の接地用器具。
【発明の詳細な説明】
【技術分野】
【０００１】
本発明は、接地用器具に関し、詳しくは、電線の端部を接地するために用いられる接地用器具に関する。
【背景技術】
【０００２】
従来、切断された電線への急な通電に対して電線端部周辺の安全を確保すべく、電線端末キャップで電線の端部を覆うことで、電線の端部を絶縁させて、電線端部周辺の安全を確保している（たとえば、特許文献１参照）。
【先行技術文献】
【特許文献】
【０００３】
【特許文献１】特開２００９−２７８７１５号公報
【発明の概要】
【発明が解決しようとする課題】
【０００４】
引用文献１に記載されている電線端末キャップを利用することで、電線端部を絶縁して、周辺の安全を確保することができる。より十分に周辺の安全を確保することを考えると、電線端部を接地電位にすることが好ましい。そのためには、電線端部に電線端末キャップを取り付けている状態で、電線端部を接地電位にすることを可能にする器具が必要であった。
【０００５】
本発明は、斯かる事情に鑑み、電線の端部を被覆しつつ、電線の端部を接地可能な接地用器具を提供することを課題とする。
【課題を解決するための手段】
【０００６】
本発明に係る架線端部接続器具は、芯線が被覆部によって被覆された電線を接地するために用いられる接地用器具であって、電線の端部を一端側から他端側に向けて挿入可能に構成され、且つ挿入された電線の端部を内部に収納した状態で維持すべく電線の一部を係止する電線係止部が設けられた絶縁性の筒状体と、該筒状体内の他端側に配置され、前記筒状体に挿入される電線の芯線の端面が接触可能な接触部を有するとともに、接地線が接続される接続部を有する導電性の端子具とを備えることを特徴とする。
【０００７】
斯かる構成によれば、電線の端部が、一端側から絶縁性の筒状体の内部に挿入される。電線の端部は、筒状体の内部に十分に挿入されることで、端子具と電気的に接触する。電線の端部が端子具に接触している状態で、電線係止部は、挿入された電線の一部を係止して、筒状体に電線が収納された状態を維持する。その後、端子具は、接地線と接続されることで、電線の端部を被覆しつつ、電線の端部を接地することができる。
【０００８】
また、本発明に係る接地用器具においては、筒状体は、電線の端部を被覆する電線被覆部と、該電線被覆部に着脱自在に取り付けられ、端子具を被覆する端子被覆部とをさらに有し、該端子被覆部が取り外された状態で、端子具と接地線との接続部分が露出してもよい。
斯かる構成によれば、端子被覆部が電線被覆部から取り外されることで、端子具の一部が露出する。より詳しくは、端子被覆部が電線被覆部から取り外されることで、端子具の接地線への接続部分が露出する。端子具の接地線への接続部分が露出するので、端子具への接地線の着脱を容易にすることができる。
【０００９】
また、本発明に係る接地用器具は、電線の端部を接地するために用いられる接地用器具であって、一端側から挿入された電線の端部を内部に収納した状態で維持すべく電線の一部を係止する電線係止部が設けられた絶縁性の筒状体と、該筒状体内の他端側で、収納された電線の端部に電気的に接触可能な位置に配置され、接地線が接続される端子具とを備え、筒状体は、電線の端部を被覆する電線被覆部と、該電線被覆部に着脱自在に取り付けられ、端子具を被覆する端子被覆部とをさらに有し、該端子被覆部が取り外された状態で、端子具と接地線との接続部分が露出することを特徴とする。
斯かる構成によれば、電線の端部が、一端側から絶縁性の筒状体の内部に挿入される。電線の端部は、筒状体の内部に十分に挿入されることで、端子具と電気的に接触する。電線の端部が端子具に接触している状態で、電線係止部は、挿入された電線の一部を係止して、筒状体に電線が収納された状態を維持する。その後、端子具は、接地線と接続されることで、電線の端部を被覆しつつ、電線の端部を接地することができる。
また、端子被覆部が電線被覆部から取り外されることで、端子具の一部が露出する。より詳しくは、端子被覆部が電線被覆部から取り外されることで、端子具の接地線への接続部分が露出する。端子具の接地線への接続部分が露出するので、端子具への接地線の着脱を容易にすることができる。
【００１０】
また、本発明に係る接地用器具においては、端子具は、端子被覆部が取り外された状態で、電線被覆部に着脱自在であってもよい。
【００１１】
斯かる構成によれば、端子被覆部が電線被覆部から取り外されている状態で、さらに端子具を電線被覆部から取り外すことができる。これにより、接地用器具から導電性の部材を完全に取り外すことができるので、接地用器具を電線端末キャップとして利用する場合に、より安全を確保できる。
【００１２】
また、本発明に係る接地用器具においては、接地線を端子被覆部内から外部に引き出すために端子被覆部に形成された孔を閉塞する閉塞部材をさらに備えてもよい。
【００１３】
斯かる構成によれば、電線の端部が絶縁性の閉塞部材に完全に覆われるので、接地用器具を電線端末キャップとして利用する場合に、より安全を確保できる。
【発明の効果】
【００１４】
以上の如く、本発明に係る接地用器具によれば、電線の端部を被覆しつつ、電線の端部を接地可能であるというすぐれた効果を奏する。
【図面の簡単な説明】
【００１５】
【図１】本発明の第１の実施形態に係る接地用器具を利用する概略図を示す。
【図２】同実施形態に係る接地用器具を示し、図２（ａ）は、接地用器具の左側面図、図２（ｂ）は、接地用器具の平面図を示す。
【図３】同実施形態に係る接地用器具の図２（ａ）におけるＡ−Ａ断面図を示す。
【図４】同実施形態に係る接地用器具の電線を挿入した場合におけるＡ−Ａ断面図を示す。
【図５】本発明の第２の実施形態に係る接地用器具の断面図を示す。
【図６】同実施形態に係る接地用器具の端子被覆部を取り外した平面図を示す。
【図７】同実施形態に係る接地用器具の端子具を取り外した断面図を示す。
【図８】同実施形態に係る接地用器具の閉塞部材を取り付ける断面図を示す。
【発明を実施するための形態】
【００１６】
以下、本発明に係る接地用器具における第１の実施形態について、図１〜図４を参酌して説明する。
【００１７】
図１に示すように、電線５は、通常、がいし７，７を介して張力を作用させずに電柱６，６に架設されている。電線５に強い外力が作用すると、電線５は電柱６，６間で切断されることがある。電線５が切断されると、電線５は、がいし７，７から地面９に向けて垂れ下がる。切断された電線５の端部からがいし７，７までが十分に長い場合には、切断された電線５の端部は、地面９に落下する。
【００１８】
電線５が、たとえば被覆電線である場合、切断された電線５の端部は、芯線を露出している状態で地面９に落下する。そこで、切断され、地面９に落下した電線５の端部周囲の安全を確保することを目的として、接地装置１が監視人８によって電線５の端部に取り付けられる。
【００１９】
監視人８は、電線５の切断位置を確認する作業員である。監視人８は、電線５の切断位置を確認すると、電線５への通電を強制的に停止させる。その後、監視人８は、電線５の補修作業員の到着まで、切断された電線５を地絡させて端部周辺の安全を確保する。すなわち、監視人８は、接地装置１を切断された電線５の端部に取り付けて接地する。そして、監視人８は、電線５の端部に人が近づかないように周囲を監視する。
【００２０】
図１乃至図４に示すように、接地装置１は、地面９に埋設される接地棒３と、接地棒３に電気的に接続される接地線２と、電線５の端部５０を接地線２に電気的に接続可能な接地用器具４とを備える。
【００２１】
接地棒３は、銅やアルミ等の金属で構成され、地面９に埋設しやすく、かつ地面９と十分な接地面積を有するように長尺状に形成されている。接地棒３は、接地線２に接続された後に、地面９に十分な深さで埋設される。
【００２２】
接地線２は、たとえばリード線であり、銅やアルミ等の芯線をゴム等の被覆で被覆して構成される。接地線２は、その両端で、接地棒３および接地用器具４のそれぞれに電気的に接続される。より詳しくは、接地線２は、その両端側の被覆を剥かれることで露出する芯線のそれぞれで、接地棒３および接地用器具４のそれぞれに電気的に接続される。
【００２３】
接地用器具４は、一端側から電線５の端部５０を挿入可能な絶縁性の筒状体１０と、該筒状体１０内の他端側で、収納された電線５の端部５０に電気的に接触可能な位置に配置され、接地線２が接続される端子具２０とを備える。接地用器具４は、挿入された電線５の端部５０を被覆することで、周囲の安全を確保する。また、接地用器具４は、接地線２と電線５の端部５０とを電気的に接続することで、電線５の端部５０を接地する。なお、以下の説明では、接地用器具４において、電線５の端部５０が挿入される側を一端側、接地線２が筒状体１０から外部に引き出される側を他端側として説明する。
【００２４】
筒状体１０は、内部に電線５の端部５０を収納して被覆する被覆部１１と、電線５の端部５０を被覆部１１内部に挿入すべく一端側に設けられる挿入口１４と、挿入された電線５を内部に収納した状態で維持すべく電線５の一部を係止する電線係止部１２と、接地線２を内部から外部に引き出すために他端側に設けられる孔１３とを有する。本実施形態において、筒状体１０は、円筒形状であるが、四角筒形状等の多角筒形状、あるいは異形筒形状等であってよい。
【００２５】
被覆部１１は、電線５の端部５０を収納する電線被覆部１１ａと、接地線２を収納する端子被覆部１１ｂとを有する。被覆部１１は、円筒形状を有し、挿入口１４から挿入される電線５の端部５０を挿入方向に挿入された状態で収納するのに十分に長い、長尺形状に構成されている。被覆部１１は、他端側において、他端部に向かって縮径するテーパ状に構成されている。被覆部１１は、テーパ状に構成される他端部側まで、電線５の端部５０に収納するのに十分な内径を有する。すなわち、被覆部１１は、テーパ状に構成される他端部側まで、電線５の径よりも大きい内径を有する。
【００２６】
被覆部１１は、絶縁性の樹脂で形成されており、収納された電線５の端部５０を絶縁する。被覆部１１は、たとえば、ポリカーボネート、アクリル等の絶縁性樹脂で形成される。被覆部１１は、周囲に注意を喚起することを目的として、黄色で塗装されているのが好ましい。
【００２７】
被覆部１１が透明なアクリルで形成される場合、被覆部１１の内部に挿入された電線５の端部５０は、外部から視認され得る。これにより、電線５の端部５０が、十分に被覆部１１の内部に収納されているか否かを確認することができる。より好ましくは、被覆部１１は、挿入された電線５の端部５０と端子具２０との接触位置を覆う部分のみ透明であり、その他の部分を黄色で着色されているとよい。これにより、電線５の端部５０が端子具２０に接触する程十分に挿入されているか否かを被覆部１１の外部から目視で確認することができるとともに、周囲に注意を喚起することができる。
【００２８】
電線被覆部１１ａは、筒状に形成されている。電線被覆部１１ａは、電線係止部１２に隣接する被覆部１１の一端側から、他端側でテーパ状に傾斜を開始する位置まで設けられている。そして、電線被覆部１１ａは、他端側で、端子被覆部１１ｂに隣接する。電線被覆部１１ａは、一端側から他端側まで同径かつ、電線５を収納するのに十分な長尺状に形成されている。電線被覆部１１ａは、電線５よりも大きい径を有しており、電線５の端部５０を内部まで十分に収納可能になっている。電線被覆部１１ａは、端子被覆部１１ｂに隣接する位置で、端子具２０により端子被覆部１１ｂと仕切られる。
【００２９】
端子被覆部１１ｂは、筒状に形成されている。より詳しくは、端子被覆部１１ｂは、被覆部１１の他端側のテーパ形状として形成される。端子被覆部１１ｂは、端子具２０の接地線２への接続部分を被覆するとともに、端子具２０から孔１３を介して外部に引き出される接地線２を被覆する。なお、端子被覆部１１ｂは、ストレート形状で形成されていてもよい。
【００３０】
挿入口１４は、筒状体１０の一端部に設けられ、電線係止部１２に隣接する。挿入口１４は、電線５の断面に合わせて円形状を有するのが好ましく、電線５を筒状体１０の内部に挿入可能な程度の径を有する。より詳しくは、挿入口１４は、電線５と同径または電線５よりも大きい径を有する。なお、挿入口１４は、電線５を挿入可能であれば、四角形状等の多角形状、異形形状等であってもよい。
【００３１】
電線係止部１２は、筒状体１０に挿入される電線５を径方向から押圧するクランプ部１２１と、クランプ部１２１の電線５への押圧を操作する一対の操作部１２２，１２２と、一対の操作部１２２，１２２の間に離間する力を与えることでクランプ部１２１に押圧力を与える弾性体１２３と、クランプ部１２１の筒状体１０からの脱落を防止する脱落防止部１２４とを有する。電線係止部１２は、電線被覆部１１ａの一端側と挿入口１４との間に設けられる。
【００３２】
クランプ部１２１は、側面視円弧形状を有し、電線５と同じまたは電線５よりも大きい径を有する。クランプ部１２１の円弧形状内側面１２１ａは、挿入口１４の径よりも大きい、または同じ曲率半径をもつことが好ましい。クランプ部１２１の円弧形状内側面１２１ａは、電線５を電線被覆部１１ａの長手方向に挿入可能な程度に、電線被覆部１１ａの径方向に移動する。すなわち、クランプ部１２１の円弧形状内側面１２１ａは、挿入口１４の端部との距離Ｌが電線５の被覆の径よりも少なくとも大きいか同じまで、電線被覆部１１ａの径方向に移動する。これにより、クランプ部１２１は、挿入口１４から挿入された電線５をスムーズに電線被覆部１１ａに収納させることができる。
【００３３】
クランプ部１２１は、円弧形状内側面１２１ａで、挿入口１４から挿入された電線５の径方向から電線５の一部に当接可能に構成されている。すなわち、クランプ部１２１は、電線５が円弧形状内側面１２１ａに挿入された後に電線５に当接する方向に移動することで、電線５の径方向から電線５の一部に当接する。クランプ部１２１はさらに、電線５に当接する位置で、電線５の径方向から電線５を押圧する。クランプ部１２１は、電線５を径方向から押圧することで、円弧形状内側面１２１ａと電線被覆部１１ａの内面とで電線５を係止する。これにより、クランプ部１２１は、電線５の端部５０を、筒状体１０の内部に収納された状態に維持する。
【００３４】
一対の操作部１２２，１２２は、一方の操作部１２２に対して、他方の操作部１２２を近接または離間させる方向に移動させるガイドになるガイド部１２２ａを有する。一対の操作部１２２，１２２は、一方が筒状体１０に固定され、他方がクランプ部１２１に固着されている。他方の操作部１２２がガイド部１２２ａに沿って、一方の操作部１２２から離間する方向に移動することで、挿入された電線５を押圧する方向にクランプ部１２１を移動させる。逆に他方の操作部１２２がガイド部１２２ａに沿って、一方の操作部１２２に近づく方向に移動することで、挿入された電線５の押圧を解除する方向にクランプ部１２１を移動させる。これにより、他方の操作部１２２が一方の操作部１２２に対して移動することで、挿入された電線５の係止または解除を切替えることができる。
【００３５】
ガイド部１２２ａは、長尺状に形成され、クランプ部１２１の径方向に沿う方向を長手方向にして、一端が一方の操作部１２２に固定される。より詳しくは、ガイド部１２２ａは、一対の操作部１２２，１２２が近接する方向または離間する方向を長手方向にして、一端が一方の操作部１２２に固定される。すなわち、ガイド部１２２ａは、クランプ部１２１の円弧形状内側面１２１ａと挿入口１４の端部との距離Ｌが大きくなるまたは小さくなる方向を長手方向にして、一端が一方の操作部１２２に固定される。ガイド部１２２ａは、その長手方向に沿って他方の操作部１２２を摺動可能に他方の操作部１２２に接続されている。
【００３６】
弾性体１２３は、たとえばバネであり、一対の操作部１２２，１２２の間に設けられる。弾性体１２３は、一対の操作部１２２，１２２の間に設けられることで、一対の操作部１２２，１２２の間に離間する弾性力を与える。弾性体１２３は、弾性力を一対の操作部１２２，１２２に与えることで、一方の操作部１２２を介してクランプ部１２１に電線５を径方向から押圧する力を与える。
【００３７】
脱落防止部１２４は、筒状体１０の一端部で、挿入口１４に隣接して設けられる。脱落防止部１２４は、筒状体１０の長手方向で、クランプ部１２１の円弧形状の内側面と当接可能な棒状に形成される。電線５が筒状体１０の内部に収納されていない状態において、脱落防止部１２４は、クランプ部１２１の円弧形状内側面１２１ａに当接することで、クランプ部１２１の押圧する方向へのそれ以上の移動を阻止する。これにより、脱落防止部１２４は、クランプ部１２１の筒状体１０からの脱落を防止する。
【００３８】
孔１３は、筒状体１０の他端部に設けられる。孔１３は、接地線２を筒状体１０の内部から外部に引き出すことが可能であれば、どのような形状をしていてもよい。なお、孔１３は、水分の筒状体１０内への浸入を防止することを目的として、より狭い径を有することが好ましい。
【００３９】
端子具２０は、電線被覆部１１ａの他端部に取り付けられる取付部２１と、電線５の端部５０に接触する接触部２２と、接地線２に接続される接続部２３とを有する。端子具２０は、たとえば、銅やアルミ等の金属で全体が構成される。
【００４０】
取付部２１は、電線被覆部１１ａの他端側における径と同じ径を有する円盤状に形成されるのが好ましい。取付部２１は、電線被覆部１１ａの内面と接する面において、筒状体１０に固定される。より詳しくは、取付部２１は、円盤状の周面２１ａで筒状体１０の内面に固定される。取付部２１は、たとえば、接着剤等を利用して、電線被覆部１１ａの内面に固定される。取付部２１は、電線被覆部１１ａ側に位置する接触部２２と端子被覆部１１ｂ側に位置する接続部２３とを電気的に接続する。これにより、取付部２１は、電線５の端部５０の挿入位置を決定するとともに、電線５の端部５０が端子被覆部１１ｂまで挿入されることを防止する。
【００４１】
接触部２２は、スパイク形状を有しており、取付部２１の筒状体１０に接触しない一方の面に複数設けられる。具体的には、接触部２２は、取付部２１の筒状体１０への固定により、取付部２１の一端側を向くこととなる面に複数設けられる。すなわち、接触部２２は、取付部２１の筒状体１０内面の固定により、挿入口１４に対向することとなる面に複数設けられる。これにより、接触部２２は、挿入口１４から筒状体１０に挿入される電線５の端部５０に、スパイク形状の先端側で接触可能に位置される。接触部２２は、電線係止部１２に係止された電線５の端部５０が筒状体１０の径方向にずれて移動するのを防止する程度の高さおよび数だけ設けられる。これにより、電線５の端部５０に筒状体１０の径方向への力が加わった場合であっても、接触部２２は、電線５の端部５０への電気的な接続を確保する。
【００４２】
接続部２３は、接地線２を接続すべく、接地線２を挿入可能な孔２４を有する。接続部２３は、取付部２１の筒状体１０に接触しない他方の面に設けられ、円柱形状を有する。接続部２３は、挿入部２４を円柱形状の径方向側面に設けることが可能な程度に、取付部２１から突出して設けられる。取付部２１が筒状体１０の内面に固定されると、接続部２３は孔１３に対向する取付部２１の面に突出することになる。これにより、接続部２３は、端子被覆部１１ｂ内に位置される。接続部２３は、孔２４に挿入される接地線２を、端子被覆部１１ｂを通って孔１３に導出可能な位置に配置される。なお、接続部２３は、接地線２を接続可能な構成であれば、フック形状等の掛止部であってよく、ネジ形状、またはバネ形状等の形状であってよい。
【００４３】
孔２４は、接続部２３の側面を貫通して設けられる。孔２４は、接地線２を挿通可能な程度の径を有しており、挿通された接地線２を接続部２３の周囲に巻き付けることを可能にする。これにより、孔２４は、接続部２３および接地線２の電気的な接続を確立する。
【００４４】
本実施形態に係る接地用器具４の構成については以上の通りであり、次に、本実施形態に係る接地用器具４の作用について説明する。
【００４５】
接地用器具４は、接地線２を介して接地棒３に接続される接地装置１の状態で利用される。すなわち、接地用器具４は、予め、他端を接地棒３に接続された接地線２の一端に、端子具２０の接続部２３を接続して利用される。まず、監視人８は、電線５の切断位置を特定すると、電線５を強制的に停電させる。切断された電線５の端部５０は、被覆を剥がされて、芯線を露出した状態になる。そして、切断された電線５の端部５０は、一対の調整部１２２，１２２を近接させた状態で、挿入口１４から筒状体１０に挿入される。電線５の端部５０が電線被覆部１１ａに十分に収納されると、接触部２２は、電線５の端部５０に当接して、電気的に接触する。
【００４６】
切断された電線５の端部５０が接触部２２に接触することで、電線５の端部５０は、筒状体１０に十分に収納された状態になる。電線５の端部５０を筒状体１０に収納された状態に維持するべく、一対の調整部１２２，１２２は、それぞれ離間される状態にされる。これにより、クランプ部１２１は、弾性体１２３の弾性力により、円弧形状の内側面１２１ａで電線５を径方向から押圧する。したがって、クランプ部１２１は、円弧形状の内側面１２１ａで筒状体１０の内面に電線５を押圧して、この電線５を係止する。これにより、クランプ部１２１は、電線５の端部５０を筒状体１０の内部に収納した状態に維持する。そして、電線５の端部５０が電線被覆部１１ａの内部に収納された後、接地棒３は、地面９に埋設される。
【００４７】
以上のように、本願発明の接地用器具４によれば、電線５の端部５０を接地させることができる。電線５に不意の通電があっても、電線５の端部５０を接地しているので、電線５の端部５０周辺の安全を確保することができる。
【００４８】
また、接触部２２がスパイク形状をしているので、電線５の端部５０が筒状体１０の径方向に移動する力が加わったとしても、接触部２２は、スパイク形状で電線５の端部５０の移動を阻止して、電線５の端部５０を電気的に接触する状態に維持する。したがって、接地用器具４は、電線５の端部５０を確実に接地することができ、電線５の端部５０周辺の安全を確保することができる。
【００４９】
次に、本発明に係る接地用器具における第２の実施形態について、図５〜図８を参酌して説明する。なお、図５〜図８において、図１〜図４の符号と同一の符号を付した部分は、第１実施形態と同一の構成または要素を表す。なお、第２の実施形態に係る接地線２、接地棒３は、第１の実施形態と同一の構成であるので説明を省略する。
【００５０】
図５から図８に示すように、本実施形態に係る接地用器具４は、一端側から電線５の端部５０を挿入可能な絶縁性の筒状体１０と、該筒状体１０内の他端側で、収納された電線５の端部５０に電気的に接触可能な位置に配置され、接地線２が接続される端子具２０と、筒状体１０の他端側を閉塞する閉塞部材３０とを備える。接地用器具４は、挿入された電線５の端部５０を絶縁するとともに、接地線２と電線５の端部５０とを電気的に接続することで、電線５の端部５０を接地する。
【００５１】
筒状体１０は、電線５を収納する第１筒状体１０ａと、端子具２０の一部を収納する第２筒状体１０ｂとを有する。本実施形態において、筒状体１０は、円筒形状であるが、第１実施形態と同様に、四角筒形状等の多角筒形状、あるいは異形筒形状等であってよい。
【００５２】
第１筒状体１０ａは、電線５の端部５０を被覆部１１内部に挿入すべく一端側に設けられる挿入口１４と、挿入された電線５を内部に収納した状態で維持すべく電線５の一部を係止する電線係止部１２と、電線５の端部５０を被覆する電線被覆部１１ａとを有する。ここで、電線係止部１２および挿入口１４は、第１の実施形態に係る筒状体１０に設けられる電線係止部１２および挿入口１４と同一であるので、本実施形態での説明を省略する。
【００５３】
電線被覆部１１ａは、第２筒状体１０ｂを係止する第１係止部１８と、端子具２０を係止する第２係止部１９とを有する。電線被覆部１１ａは、第１の実施形態における筒状体１０のテーパ形状部分を除く部分に該当する。電線被覆部１１ａの他端側は、第２筒状体１０ｂの電線被覆部１１ａへの取り付けにより、第２筒状体１０ｂに被覆される。
【００５４】
図５および図６に示すように、第１係止部１８は、電線被覆部１１ａの他端側外面に溝状に設けられる。より詳しくは、第１係止部１８は、電線被覆部１１ａの他端側外面において、電線被覆部１１ａの他端部から一端側に向けて延び、その後、電線被覆部１１ａの円弧に沿う方向に折曲形成されて、カギ形の溝状に設けられる。第１係止部１８は、第２筒状体１０ｂの一部を電線被覆部１１ａの円弧に沿う方向に延びる溝で係止することで、第２筒状体１０ｂを電線被覆部１１ａに係止する。
【００５５】
第２係止部１９は、電線被覆部１１ａの他端側内面に、電線被覆部１１ａ内面の円周に沿って溝状に設けられる。第２係止部１９は、電線被覆部１１ａの他端部から電線被覆部１１ａ内に挿入される端子具２０の一部を溝内に係止することで、端子具２０を電線被覆部１１ａに係止する。
【００５６】
第２筒状体１０ｂは、電線被覆部１１ａに着脱自在に取り付けられ、端子具２０を被覆する端子被覆部１１ｂと、接地線２を内部から外部に引き出すために他端側に設けられる孔１３とを有する。ここで、孔１３は、第１の実施形態に係る筒状体１０に設けられる孔１３と同一であるので、本実施形態における説明を省略する。
【００５７】
端子被覆部１１ｂは、電線被覆部１１ａの外面に当接する当接部１７ａと、接地線２を外部に引き出すための孔１３を形成するストレート部１７ｂと、当接部１７ａおよびストレート部１７ｂを結ぶテーパ状のテーパ部１７ｃとを有する。端子被覆部１１ｂは、全体として第１の実施形態における被覆部１１のテーパ状の部分に該当する。より詳しくは、端子被覆部１１ｂは、電線被覆部１１ａの他端側に取り付けられる一端側でより大きい径をもち、ストレート部１７ｂを有する他端側でより小さい径をもつ。
【００５８】
当接部１７ａは、端子被覆部１１ｂの内面１７ｄから径内方向に突出する第１爪部１８ａを有する。当接部１７ａは、電線被覆部１１ａの外径と同じ大きさの内径を有する。そして、当接部１７ａの内面１７ｄは、テーパ部１７ｃの一端部から、テーパ部１７ｃの一端部内面と同径で延伸されて形成される。これにより、端子被覆部１１ｂが電線被覆部１１ａに取り付けられる場合に、当接部１７ａの内面１７ｄは、電線被覆部１１ａの他端側外面１１ｃに当接する。当接部１７ａの内面１７ｄが電線被覆部１１ａの他端側外面１１ｃに当接するので、当接部１７ａは、当接部１７ａと電線被覆部１１ａとの間から水分の端子被覆部１１ｂ内への浸入を防止する。
【００５９】
第１爪部１８ａは、当接部１７ａの内周に沿う方向において、電線被覆部１１ａの他端部に設けられる第１係止部１８の溝に係合する位置に形成される。第１爪部１８ａは、端子被覆部１１ｂの電線被覆部１１ａへの取付方向において、テーパ部１７ｃの一端部から所定の間隔を隔てる位置に形成される。より詳しくは、第１爪部１８ａは、電線被覆部１１ａの他端部から電線被覆部１１ａの一端方向に延びる、第１係止部１８の長さ以上の長さ分、テーパ部１７ｃの一端側から取付方向に隔てた位置に形成される。これにより、第１爪部１８ａは、電線被覆部１１ａの他端部がテーパ部１７ｃの内面に接触することを防止する。第１爪部１８ａは、第１係合部１８の電線被覆部１１ａの外面１１ｃからの深さと同じまたはより浅い位置で係止される高さで突出する。そして、第１爪部１８ａは、端子被覆部１１ｂの電線被覆部１１ａへの取付方向において、折曲形成される第１係止部の、電線被覆部１１ａの外周方向に沿って延びる部分の幅と同じ、またはそれ未満の幅で突出する。
【００６０】
ストレート部１７ｂは、その端部に孔１３を有している。ストレート部１７ｂの内面は、テーパ部１７ｃの他端部から、テーパ部１７ｃの他端部の内面に同径で延伸されて形成される。ストレート部１７ｂは、孔１３から端子被覆部１１ｂ内に水分の浸入を防止できる程度に延伸されて形成されるのが好ましい。
【００６１】
テーパ部１７ｃは、当接部１７ａからストレート部１７ｂに向かうにしたがって縮径する形状を有する。テーパ部１７ｃは、その内面で囲まれる空間で端子具２０の接地線２への接続部分と接地線２とを被覆する。テーパ部１７ｃは、その内部に端子具２０を収納可能な程度で、当接部１７ａからストレート部１７ｂに向かうにしたがって縮径する。
【００６２】
図５から図７に示すように、端子具２０は、電線５の端部５０の挿入位置を決定する取付部２１と、電線５の端部５０に接触する接触部２２と、接地線２に接続される接続部２３とを有する。本実施形態における接触部２２の構成は、第１の実施形態における接触部２２の構成と同一であるので、本実施形態での説明を省略する。
【００６３】
取付部２１は、第１実施形態の構成に加えて、端子具２０を電線被覆部１１ａに係止される第２爪部２１ｂを有する。本実施形態における取付部２１の他の構成は、第１の実施形態における取付部２１の構成と同一であるので、本実施形態での説明を省略する。
【００６４】
第２爪部２１ｂは、取付部２１の周面２１ａに環状に設けられる。第２爪部２１ｂは、第２係止部１９の溝の深さと同じ分だけ取付部２１の周面２１ａから突出する。これにより、第２爪部２１ｂは、第２係止部１９に係止されることで、電線被覆部１１ａの他端部の内面を塞ぐ形に端子具２０を位置させる。また、図７に示すように、第２爪部２１ｂは、第２係止部１９から取り外されることで電線被覆部１１ａの他端部を開放する。
【００６５】
接続部２３は、第１の実施形態における構成に加えて、接地線２の接続部２３への着脱を自在にする蝶ネジ２５と、蝶ネジ２５と螺合する図示しないネジ孔とを有する。蝶ネジ２５およびネジ孔以外の接続部２３の構成は、第１の実施形態の構成と同様であるので、本実施形態での説明を省略する。
【００６６】
蝶ネジ２５は、接続部２３の他端側を向く面から孔２４に向けて、接続部２３に螺合する。蝶ネジ２５は、孔２４の内面に対向する先端と穴の内面とで接地線２を係止することで、接続部２３および接地線２の電気的な接続を確立する。蝶ネジ２５は、先端を孔２４の内面から離間する方向に緩められることで、接地線２を係止から開放する。逆に、蝶ネジ２５は、孔２４に接地線２の芯部分が挿入されている状態で、先端が孔２４の内面に近づく方向に締められることで、接地線２を係止する。
【００６７】
ネジ孔は、接続部２３の他端側を向く面から孔２４に向けて連通している。これにより、ネジ孔は、接続部２３の他端側を向く面から螺合する蝶ネジ２５の先端の孔２４への当接を可能にしている。
【００６８】
閉塞部材３０は、図８に示すように、ストレート部１７ｂの外面に当接する当接部３１と、孔１３を閉塞する閉塞部３２とを有する。閉塞部材３０は、一端側が開口され、他端側が閉塞される筒形状を有する。閉塞部材３０の一端側は、ストレート部１７ｂの外周と同じ内径で開口している。閉塞部材３０は、一端部からストレート部１７ｂの他端部に取り付けられることで、孔３２を閉塞する。閉塞部材３０は、たとえば、ポリカーボネート、アクリル等の絶縁性樹脂で形成されて、電線５の端部５０または端子具２０を絶縁する。
【００６９】
当接部３１は、筒状に形成されて、その内面でストレート部１７ｂの外面に当接する。当接部３１の内径は、ストレート部１７ｂの外径と同じである。これにより、当接部３１がストレート部１７ｂに取り付けられる場合、当接部３１の内面は、ストレート部１７ｂの外面１７ｅと摩擦力を発生させる。これにより、当接部３１がストレート部１７ｂから脱落することを防止する。また、当接部３１は、ストレート部１７ｂに当接することで、閉塞部材３０の筒形状内側への水分の浸入を防止して、孔１３への導電性物質の侵入を防止する。
【００７０】
閉塞部３２は、当接部３１の他端部を完全に閉塞する円盤形状を有する。これにより、閉塞部３２は、当接部３１の他端部から孔１３への水分の浸入を防止する。
【００７１】
本実施形態に係る接地用器具４の構成は以上の通りであり、次に、本実施形態に係る接地用器具４の作用について説明する。なお、接地用器具４を用いて電線５の端部５０を接地させる場合の作用は、第１の実施形態と同一であるので、本実施形態での説明を省略する。
【００７２】
接地用器具４は、接地線２を取り除くことで、電線端末キャップとして利用することも可能である。接地用器具４は、まず、接地線２を取り除くことを目的として、電線被覆部１１ａと端子被覆部１１ｂとに分解される。
【００７３】
図５に示すように、端子被覆部１１ｂは、第１爪部１８ａを第１係止部１８に係止することで電線被覆部１１ａに取り付けられている。端子被覆部１１ｂは、電線被覆部１１ａに取り付けられている状態で、電線被覆部１１ａの他端側から一端側への方向に対して、時計周り４１に回転させられる。そして、図５に示すように、端子被覆部１１ｂは、電線被覆部１１ａの一端側から他端側に向けて、電線被覆部１１ａから取り外されることで、電線被覆部１１ａから離間する。端子具２０の接地線２への接続部分である接続部２３は、端子被覆部１１ｂの電線被覆部１１ａからの取外しにより露出する。
【００７４】
蝶ネジ２５は、孔２４の内面から離間する方向に緩められることで、接地線２の接続部２３への係止を解除する。接地線２は、接続部２３から取り外された後、孔１３を通して端子被覆部１１ｂからも取り外される。
【００７５】
図７に示すように、第２爪部２１ｂが第２係止部１９の係止から開放されることで、端子具２０は、電線被覆部１１ａから取り外される。具体的には、第２爪部２１ｂが第２係止部１９の係止から開放された後、端子具２０は、電線被覆部１１ａの一端側から他端側に向けて取り外されることで、電線被覆部１１ａの他端側から取り外される。
【００７６】
端子被覆部１１ｂは、第１爪部１８ａおよび第１係止部１８が電線被覆部１１ａの周方向に沿って重なる位置に位置調整される。端子被覆部１１ｂは、その後、電線被覆部１１ａの他端側から一端側に向けて挿入される。さらに、端子被覆部１１ｂは、電線被覆部１１ａの他端側から一端側への方向に対して、反時計回り４２に回転させられる。これにより、第１爪部１８ａは、電線被覆部１１ａの周方向に形成される、第１係止部１８の部分に係止され、端子被覆部１１ｂは、電線被覆部１１ａに取り付けられる。
【００７７】
閉塞部材３０は、ストレート部１７ｂに取り付けられることで、孔１３を閉塞する。これにより、接地用器具４は、全体として絶縁性材料が外面に露出するとともに、電線５の端部５０を絶縁性材料で被覆可能になる。
【００７８】
接地用器具４に接地線２を接続する場合には、上記作用の逆に接地用器具４を作用させることで、接地用器具４を接続線２に接続できる。
【００７９】
以上により、本実施形態に係る接地用器具４は、電線端末キャップとして利用することができる。接地棒３が十分に接地できない場合等においては、接地用器具４を電線端末キャップとして利用することで、電線５の端部５０を絶縁することができる。また、切断された電線５に限らず、工事において電線５を切断する場合においても、接地用器具４を電線端末キャップとして利用できるので、接地用器具４の汎用性を広げることができる。また、接地用器具４から導電部分を全て取り外すことができるので、接地用器具４を電線端末キャップとして利用する場合であっても、電線５の端部５０周辺の安全を十分に確保することができる。
【００８０】
なお、本発明に係る接地用器具４は、上記した実施の形態に限定されるものではなく、本発明の要旨を逸脱しない範囲内において種々変更を加え得ることは勿論である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００８１】
例えば、本発明に係る電線係止部１２においては、電線被覆部１１ａの内径を電線５の径と同じ大きさにすることで電線係止部１２としてもよい。電線被覆部１１ａの内径と電線５の径とが同じ大きさなので、筒状体１０に挿入された電線５の端部５０は、電線被覆部１１ａおよび電線５の間の摩擦力で筒状体１０内に係止されてその状態に維持される。これにより、挿入口１４に隣接して電線係止部１２を設ける必要が無いので、接地用器具４をより小さくすることができる。また、接地用器具４の動作部分をなくすことができるので、接地用器具４の故障率を抑えることができる。
【００８２】
また、本発明に係る電線係止部１２においては、電線被覆部１１ａの内部で径内方向に向けて突出する突起を形成することで電線係止部１２としてもよい。突起と突起に対向する電線被覆部１１ａの面との間の距離は、電線５に等しいのが好ましい。電線５は、電線被覆部１１ａに挿入されることで突起によって係止されるので、電線５の端部５０は、電線被覆部１１ａ内に収納された状態に維持される。これにより、接地用器具４をより小さくすることができる。また、接地用器具４の動作部分をなくすことができるので、接地用器具４の故障発生率を抑えることができる。
【００８３】
また、本発明に係る弾性体１２３は、ゴムであってもよい。これにより、接地用器具４の外面から導電性物質を除くことができ、電線５の端部５０を確実に絶縁することができる。
【００８４】
また、本発明に係る第１係止部１８は、電線被覆部１１ａの他端側の外周に沿って、環状に設けられても良い。この場合、第１爪部１８ａは、当接部１７ａの径内方向に突出する方向に、当接部１７ａの内周に沿って、環状に設けられる。これにより、第１爪部１８ａが電線被覆部１１ａの外周に沿って設けられる第１係止部１８に係止されることで、端子被覆部１１ｂは、電線５の端部５０または端子具２０を確実に被覆することができる。
【００８５】
また、本発明に係る接触部２２においては、金たわしまたは導電性グラスウールを利用しても良い。これにより、挿入された電線５の端部５０の形状に合わせて接触部２２の形状を変えることができる。したがって、電線５の端部５０の接触部２２への接触を確実にすることができるので、電線５の端部５０を確実に接地することができる。
【００８６】
また、本発明に係る接続部２３は、側面に孔２４を設けられる構成であれば、円柱形状に限定されない。すなわち、接続部２３には、直方体形状、異形形状等を採用することができる。これにより、端子被覆部２０の形状をより自由にデザインすることができる。
【００８７】
また、本発明に係る閉塞部材３０は、それ自体が孔１３と同径をもつ円盤形状に形成されてもよい。閉塞部材３０は、ストレート部１７ｃの内面と閉塞部材３０との当接する部分における摩擦力で、孔１３を閉塞する。これにより、閉塞部材３０をより小さくすることができ、閉塞部材３０の製作コストを削減することができる。
【００８８】
また、本発明に係る閉塞部材３０は、端子被覆部１１ｂに紐状の接続部材を利用して接続されていてもよい。閉塞部材３０が孔１３を閉塞しない場合であっても端子被覆部１１ｂに接続されているので、孔１３を閉塞する場合に、直ちに閉塞部材３０を利用することができる。
【００８９】
また、上記第２の実施形態に係る端子具２０の取り外しにおいては、電線被覆部１１ａから取り外さずに、電線被覆部１１ａに端子被覆部１１ｂを取り付けてもよい。これにより、端子具２０を取り外す工程がなくなるので、より迅速に電線５の端部５０を保護することができる。
【符号の説明】
【００９０】
１              接地装置
２              接地線
３              接地棒
４              接地用器具
５              電線
６              電柱
７              がいし
８              監視人
９              地面
１０            筒状体
１０ａ          第１筒状体
１０ｂ          第２筒状体
１１            被覆部
１１ａ          電線被覆部
１１ｂ          端子被覆部
１１ｃ          外面
１２            電線係止部
１３            孔
１４            挿入口
１７ａ          当接部
１７ｂ          ストレート部
１７ｃ          テーパ部
１７ｄ          内面
１７ｅ          外面
１８            第１係止部
１８ａ          第１爪部
１９            第２係止部
２０            端子具
２１            取付部
２１ａ          周面
２１ｂ          第２爪部
２２            接触部
２３            接続部
２４            挿入部
２５            蝶ネジ
３０            閉塞部材
３１            当接部
３２            閉塞部
５０            端部
１２１          クランプ部
１２１ａ        円弧形状内側面
１２２          操作部
１２３          弾性体
１２４          脱落防止部
【図１】
0005758150.tif 000002
【図２】
0005758150.tif 000003
【図３】
0005758150.tif 000004
【図４】
0005758150.tif 000005
【図５】
0005758150.tif 000006
【図６】
0005758150.tif 000007
【図７】
0005758150.tif 000008
【図８】
0005758150.tif 000009